(57)【要約】      （修正有）【課題】特別に設計されたライナを使用することなく自動ライナ交換を可能にする試料分析器用の試料送達方法を提供する。【解決手段】少なくとも取入端部で管状であり、試料を保持する交換可能なライナ（２１）を装填できる試料の送達デバイス（Ｋ）を有し、その上に、それによって摩擦嵌合を有するシール（２４）を用いてライナ（２１）を保持する移送ヘッド（２２）をガス取入端部でそれぞれ嵌合され、ライナ（２１）がマガジン（Ｍ１）又は試料容器（Ｐ）の中の所定の位置で挿入されるように配置され、ライナ（２１）の移送ヘッド（２２）のためのグリッパを備える交換デバイス（Ｓ）が使用され、所定のプログラムに基づき、交換デバイス（Ｓ）が、各ライナ（２１）をその移送ヘッド（２２）上の所定の位置で把持し、それを密封された方式で送達デバイス（Ｋ）内に挿入し、試料送達が行われ、次に、ライナ（２１）が、送達デバイス（Ｋ）から取り外される。【選択図】図３
2005292142.tif 000002
【特許請求の範囲】
【請求項１】
少なくとも取入端部で管状であり、試料を保持する交換可能なライナを装填することができる試料のための送達デバイスを有し、
その上に、それによって摩擦嵌合を有するシールを用いて前記ライナを保持する移送ヘッドをガス取入端部でそれぞれ嵌合され、前記ライナが、マガジンおよび試料容器の少なくとも一方の中の所定の位置で挿入されるように配置され、
前記ライナの移送ヘッドのためのグリッパを備える交換デバイスが使用され、
所定のプログラムに基づいて、前記交換デバイスが、前記各ライナをその移送ヘッド上の所定の位置で把持し、それを密封された方式で前記送達デバイス内に挿入し、前記試料送達が行われ、
次に、前記ライナが、その移送ヘッドを把持することによって、前記交換デバイスによって前記送達デバイスから取り外される試料分析器用の試料送達方法。
【請求項２】
前記ライナが、前記交換デバイスによって、前記ライナの移送ヘッドのための保持ヘッドをそれぞれ備える付随する試料容器内に挿入され、それから取り外されることを特徴とする請求項１に記載の試料分析器用の試料送達方法。
【請求項３】
前記ライナの前記移送ヘッドが、圧縮空気を用いて、前記マガジン内または前記試料容器内または前記送達デバイス内で締結および解放されることを特徴とする請求項１または２に記載の試料分析器用の試料送達方法。
【請求項４】
オートサンプラが、前記移送ヘッドのためのグリッパとともに、自動的な試料送達のための交換デバイスとして使用されることを特徴とする請求項１から３の一項に記載の試料分析器用の試料送達方法。
【請求項５】
電磁的に駆動することができるグリッパを備える交換デバイスが、前記移送ヘッドのために使用されることを特徴とする請求項１から４の一項に記載の試料分析器用の試料送達方法。
【請求項６】
少なくとも取入端部で管状であり、試料を保持する交換可能なライナを装填することができる試料のための送達デバイスと、ライナを保持するためのマガジンと、所定のプログラムを基にして前記送達デバイス、前記マガジン、および必要に応じて試料容器の間でライナを交換し、移送するための交換デバイスとを有し、それによって摩擦嵌合を有するシールを用いて前記ライナを保持し、移送ヘッドが前記ライナ上のガス取入端部にそれぞれ嵌合されており、
前記交換デバイスが、前記ライナの移送ヘッドのためのグリッパを備え、
前記送達デバイスが、前記送達デバイス内に前記移送ヘッドを密封締結するための締結デバイスを備える、試料分析器を備えるライナ操作システム。
【請求項７】
挿入開口を備え、摩擦嵌合で前記ライナを保持するための密封リングと、外周上に配置された密封リングを備える、少なくとも取入端部で管状である管状のライナのための移送ヘッド。
【請求項８】
前記挿入開口から離れた側の傾斜ショルダを有することを特徴とする請求項７に記載の移送ヘッド。
【請求項９】
前記挿入開口から離れた側の周縁溝を有することを特徴とする請求項７または８に記載の移送ヘッド。
【請求項１０】
少なくとも１つのガス供給部が挿入開口のために設けられていることを特徴とする請求項７から９の一項に記載の移送ヘッド。
【請求項１１】
前記挿入開口が、全体にわたって段差付きの孔として形成され、隔壁または変位可能なボールによって取入端部で閉鎖されていることを特徴とする請求項７から１０の一項に記載の移送ヘッド。
【請求項１２】
前記挿入開口の側に向いているショルダの側で、段差の付けられたおよび／または円錐形の方式で形成されていることを特徴とする請求項８から１１の一項に記載の移送ヘッド。
【請求項１３】
保持カップによって保持することができ、移送ヘッドを備え、少なくとも取入端部で管状であり、摩擦嵌合で移送ヘッドによって保持されている、ライナのための底部通し開口を備える保持カップを備え、前記移送ヘッドを前記保持カップ内に締結するための締結デバイスを備える、試料分析器のための試料のための送達デバイス。
【請求項１４】
前記締結デバイスが、前記保持カップに対して半径方向に変位することができ、前記移送ヘッドと係合することができる締結要素を有することを特徴とする請求項１３に記載の送達デバイス。
【請求項１５】
前記締結デバイスが、それによって前記締結要素が変位することができるピストンを備えることを特徴とする請求項１４に記載の送達デバイス。
【請求項１６】
前記ピストンが、圧縮空気を用いてまたはばね変位に対向して前後に変位可能であることを特徴とする請求項１５に記載の送達デバイス。
【請求項１７】
前記ピストンが、半径方向に変位可能な方式で配置され、前記締結要素が、前記ピストンと接続された締結顎部であることを特徴とする請求項１５または１６に記載の送達デバイス。
【請求項１８】
前記ピストンが、軸方向に変位可能であり、前記締結要素が、前記ピストンの影響下で半径方向に変位することができるボールであることを特徴とする請求項１５または１６に記載の送達デバイス。
【請求項１９】
取入端部に配置され、通し開口を備え、それらの間に配置された穿刺可能なホイルを備える２つの隔壁がその上にキャップによって固定され、外側から密封されるようにして前記通し開口内に挿入することが可能である、フランジと、それによって摩擦嵌合を有するシールを用いて、少なくとも取入端部で管状であるライナを保持し、移送ヘッドのための保持カップを備えるガイディングチューブとを備える試料容器。
【発明の詳細な説明】
【技術分野】
【０００１】
本発明は、試料分析器用の試料送達法、およびクロマトグラフィシステムとしての試料分析器とともに使用するためのライナ操作システムならびにその構成要素に関する。
【背景技術】
【０００２】
ガスクロマトグラフィでは、試料分析用の試料が、送達デバイスを用いてガスクロマトグラフ内に導入され、試料は、それを通ってキャリアガスが流れることができる、ライナとして知られている交換可能な管状の試料容器によって保持される。通常のライナは、試料をその中で保持するように特別に設計または装備することができるが、外部では、それらは、おそらく排出端部の収縮部以外は、標準化された円筒形のデザインであり、滑らかで、一般にガラスまたはステンレス鋼チューブの形態である。
【０００３】
手動のライナ交換は、それ自体の操作としておよび長い連続動作に関して、時間を消費するため、自動的な交換を可能にする特殊なヘッドを備えるライナを提供することが知られている。しかし、これらの特殊なライナは、特殊な送達デバイスおよび交換器とともに使用することしかできない。互換性はない。
ＷＯ  ００／５０８８５は、その上に隔壁が配置されたフランジをそのガス取入端部に備え、蓋キャップを用いてフランジ上で保持される、ライナを開示している。
【０００４】
米国特許第５，６８６，６５６号は、操作フランジを有するライナキャリアを伴う、標準の寸法よりも大きく作製されたライナの使用を開示している。この場合、ライナキャリアは、結合要素によって送達デバイス上に保持される。
【特許文献１】ＷＯ  ００／５０８８５
【特許文献２】米国特許第５，６８６，６５６号
【発明の開示】
【発明が解決しようとする課題】
【０００５】
本発明の目的は、特別に設計されたライナを使用することなく自動ライナ交換を可能にする試料分析器のための試料送達方法を提供することである。
【課題を解決するための手段】
【０００６】
前記目的を達成するために、請求項１に係る発明は、少なくとも取入端部で管状であり、試料を保持する交換可能なライナを装填することができる試料のための送達デバイスを有し、その上に、それによって摩擦嵌合を有するシールを用いて前記ライナを保持する移送ヘッドをガス取入端部でそれぞれ嵌合され、前記ライナが、マガジンおよび試料容器の少なくとも一方の中の所定の位置で挿入されるように配置され、前記ライナの移送ヘッドのためのグリッパを備える交換デバイスが使用され、所定のプログラムに基づいて、前記交換デバイスが、前記各ライナをその移送ヘッド上の所定の位置で把持し、それを密封された方式で前記送達デバイス内に挿入し、前記試料送達が行われ、次に、前記ライナが、その移送ヘッドを把持することによって、前記交換デバイスによって前記送達デバイスから取り外される試料分析器用の試料送達方法である。
【０００７】
また、請求項２に係る発明は、請求項１において、前記ライナが、前記交換デバイスによって、前記ライナの移送ヘッドのための保持ヘッドをそれぞれ備える付随する試料容器内に挿入され、それから取り外されることを特徴としている。
また、請求項３に係る発明は、請求項１または２において、前記ライナの前記移送ヘッドが、圧縮空気を用いて、前記マガジン内または前記試料容器内または前記送達デバイス内で締結および解放されることを特徴としている。
【０００８】
また、請求項４に係る発明は、請求項１から３の一項において、オートサンプラが、前記移送ヘッドのためのグリッパとともに、自動的な試料送達のための交換デバイスとして使用されることを特徴としている。
さらに、請求項５に係る発明は、請求項１から４の一項において、電磁的に駆動することができるグリッパを備える交換デバイスが、前記移送ヘッドのために使用されることを特徴としている。
【０００９】
一方、請求項６に係る発明は、少なくとも取入端部で管状であり、試料を保持する交換可能なライナを装填することができる試料のための送達デバイスと、ライナを保持するためのマガジンと、所定のプログラムを基にして前記送達デバイス、前記マガジン、および必要に応じて試料容器の間でライナを交換し、移送するための交換デバイスとを有し、それによって摩擦嵌合を有するシールを用いて前記ライナを保持し、移送ヘッドが前記ライナ上のガス取入端部にそれぞれ嵌合されており、前記交換デバイスが、前記ライナの移送ヘッドのためのグリッパを備え、前記送達デバイスが、前記送達デバイス内に前記移送ヘッドを密封締結するための締結デバイスを備える、試料分析器を備えるライナ操作システムである。
【００１０】
他方、請求項７に係る発明は、挿入開口を備え、摩擦嵌合で前記ライナを保持するための密封リングと、外周上に配置された密封リングを備える、少なくとも取入端部で管状である管状のライナのための移送ヘッドである。
また、請求項８に係る発明は、請求項７において、前記挿入開口から離れた側の傾斜ショルダを有することを特徴としている。
【００１１】
また、請求項９に係る発明は、請求項７または８において、前記挿入開口から離れた側の周縁溝を有することを特徴としている。
また、請求項１０に係る発明は、請求項７から９の一項において、少なくとも１つのガス供給部が挿入開口のために設けられていることを特徴としている。
また、請求項１１に係る発明は、請求項７から１０の一項において、前記挿入開口が、全体にわたって段差付きの孔として形成され、隔壁または変位可能なボールによって取入端部で閉鎖されていることを特徴としている。
【００１２】
さらに、請求項１２に係る発明は、請求項８から１１の一項において、前記挿入開口の側に向いているショルダの側で、段差の付けられたおよび／または円錐形の方式で形成されていることを特徴としている。
一方、請求項１３に係る発明は、保持カップによって保持することができ、移送ヘッドを備え、少なくとも取入端部で管状であり、摩擦嵌合で移送ヘッドによって保持されている、ライナのための底部通し開口を備える保持カップを備え、前記移送ヘッドを前記保持カップ内に締結するための締結デバイスを備える、試料分析器のための試料のための送達デバイスである。
【００１３】
また、請求項１４に係る発明は、請求項１３において、前記締結デバイスが、前記保持カップに対して半径方向に変位することができ、前記移送ヘッドと係合することができる締結要素を有することを特徴としている。
また、請求項１５に係る発明は、請求項１４において、前記締結デバイスが、それによって前記締結要素が変位することができるピストンを備えることを特徴としている。
【００１４】
また、請求項１６に係る発明は、請求項１５において、前記ピストンが、圧縮空気を用いてまたはばね変位に対向して前後に変位可能であることを特徴としている。
また、請求項１７に係る発明は、請求項１５または１６において、前記ピストンが、半径方向に変位可能な方式で配置され、前記締結要素が、前記ピストンと接続された締結顎部であることを特徴としている。
【００１５】
さらに、請求項１８に係る発明は、請求項１５または１６において、前記ピストンが、軸方向に変位可能であり、前記締結要素が、前記ピストンの影響下で半径方向に変位することができるボールであることを特徴としている。
他方、請求項１９に係る発明は、取入端部に配置され、通し開口を備え、それらの間に配置された穿刺可能なホイルを備える２つの隔壁がその上にキャップによって固定され、外側から密封されるようにして前記通し開口内に挿入することが可能である、フランジと、それによって摩擦嵌合を有するシールを用いて、少なくとも取入端部で管状であるライナを保持し、移送ヘッドのための保持カップを備えるガイディングチューブとを備える試料容器である。
【００１６】
本発明によると、前記目的は、少なくとも取入端部で管状であり、試料を保持する交換可能なライナを装填することができる試料のための送達デバイスを有し、その上に、それによって摩擦嵌合を有するシールを用いて前記ライナを保持する移送ヘッドをガス取入端部でそれぞれ嵌合され、前記ライナが、マガジンおよび試料容器の少なくとも一方の中の所定の位置で挿入されるように配置され、前記ライナの移送ヘッドのためのグリッパを備える交換デバイスが使用され、所定のプログラムに基づいて、前記交換デバイスが、前記各ライナをその移送ヘッド上の所定の位置で把持し、それを密封された方式で前記送達デバイス内に挿入し、前記試料送達が行われ、次に、前記ライナが、その移送ヘッドを把持することによって、前記交換デバイスによって前記送達デバイスから取り外される試料分析器のための試料送達方法によって達成される。
【００１７】
結果として、それらの移送に対して特別に設計されていない、見かけ上管状、またはヘッドおよび／または取入端部で少なくとも管状であり、たとえばガラスまたは鋼製である、通常の市販されているライナが使用することができ、同時にサンプラとして使用されることもできる。
本発明の主題はさらに、少なくとも取入端部で管状であり、試料を保持する交換可能なライナを装填することができる試料のための送達デバイスと、ライナを保持するためのマガジンと、所定のプログラムを基にして前記送達デバイス、前記マガジン、および必要に応じて試料容器の間でライナを交換し、移送するための交換デバイスとを有し、それによって摩擦嵌合を有するシールを用いて前記ライナを保持し、移送ヘッドが前記ライナ上のガス取入端部にそれぞれ嵌合されており、前記交換デバイスが、前記ライナの移送ヘッドのためのグリッパを備え、前記送達デバイスが、前記送達デバイス内に前記移送ヘッド密封締結するための締結デバイスを備える、試料分析器を備えるライナ操作システムである。
【００１８】
本発明の主題はまた、挿入開口を備え、摩擦嵌合で前記ライナを保持するための密封リングと、外周上に配置された密封リングを備える、少なくとも取入端部で管状である管状のライナのための移送ヘッドである。
さらに、本発明の主題は、保持カップによって保持することができ、移送ヘッドを備え、少なくとも取入端部で管状であり、摩擦嵌合で移送ヘッドによって保持されている、ライナのための底部通し開口を備える保持カップを備え、前記移送ヘッドを前記保持カップ内に締結するための締結デバイスを備える、試料分析器のための試料のための送達デバイスである。
【００１９】
また、本発明の主題は、取入端部に配置され、通し開口を備え、それらの間に配置された穿刺可能なホイルを備える２つの隔壁がその上にキャップによって固定され、外側から密封されるようにして前記通し開口内に挿入することが可能である、フランジと、それによって摩擦嵌合を有するシールを用いて、少なくとも取入端部で管状であるライナを保持し、移送ヘッドのための保持カップを備えるガイディングチューブとを備える試料容器である。
さらなる目的、実施形態および利点は以下の説明から導き出すことができる。
添付の図面に示されている例示的な実施形態を基にして本発明を以下でより詳細に説明する。
【発明を実施するための最良の形態】
【００２０】
図１に示されているガスクロマトグラフィ用の冷間送達デバイスＫは、通し開口２を備えるベースプレート１と、ねじ４を用いてある距離でベースプレート１に脱着可能に固定されたライナホルダ３とを備える。ライナホルダ３は、その中に固定された保持カップ６のための中央受け開口を備える丸い、孔開きのキャリアプレート５を備える。キャリアプレート５の上に、いくつかのスリーブ７が載置されている。スリーブ７は保持カップ６に対して半径方向に延びており、矩形または円形の断面を有し、ねじ８およびナット９を用いて固定されている。スリーブ７はそれぞれ、その中で半径方向に変形可能である、付随するねじ８上で支持されたばね１１を用いて半径方向内側に偏倚されたピストン１０を保持している。スリーブ７は、上部側面上にスリット１２を備える。スリーブ７上に、スリット１２内を走るガイディングブロック１４を用いて半径方向に変位可能である各場合で締結顎部１３がある。各締結顎部１３は、ねじ１５を用いて付随するピストン１０と接続され、ねじはガイディングブロック１４も担持している。受けカップ６の外周上に周縁溝１６があり、それに圧力媒体、特に圧縮空気が入ることができ、スリーブ７の領域の外側で、外部から遮断され、それを介してピストン１０がばね１１の力に対向して作用することができ、したがって、締結顎部１３とともに半径方向内側に変位することができる。
【００２１】
保持カップ６は、キャリアガスを供給するまたはパージングガスを除去するためにその内部へ開いている孔１７と、底部に接続部片１９を備えるガイディングチューブ１８がその中に固定された底部の開口を備える。ガイディングチューブ１８の外側に、接続部片１９へ延び、それによって保持されている加熱デバイス２０が固定されている。冷却は、たとえばペルチェ要素（図示せず）を用いても提供される。
冷間送達デバイスＫは、移送ヘッド２２を備えるライナ２１を保持するように設計されている。
【００２２】
回転対称の移送ヘッド２２は、軸方向に配置され、ライナ側の保持端部に隣接し、Ｏリング２４を受ける周縁溝を備える段差付きの孔２３を有する。Ｏリング２４は、孔２３のショルダ２５と突合する移送ヘッド２２内に挿入されたライナ２１の端部と、管状のライナ２１の周囲で摩擦嵌合で係合している。移送ヘッド２２の円周上に軸方向に離隔されて、保持カップ６の孔１７がその領域内に開いている２つの周縁溝２６が、配置されている。溝２６の領域を互いに対して密封するために、溝２６の上方、間、および下に、Ｏリング２７が配置されている。
【００２３】
ライナ２１から離れた端部に、移送ヘッド２２は、傾斜ショルダ２８を備え、対応する傾斜した締結顎部１３が、Ｏリング２７が保持カップ６の内側側面と密封係合するように提供され、わずかに円錐状の移送ヘッド２２を対応するわずかに円錐状の保持カップ６の内部空間に押し込むために、ピストン１０に作用するばね変位の影響下で傾斜ショルダと係合する。それによって、ライナ２１自体が、ガイディングチューブ１８によって保持される。
ライナ２１から離れた移送ヘッド２２の端面に、針ガイド孔を備える針ガイド部片２０がねじ込まれ、注射針によって穿刺することができる隔壁２９が挟置されている。図１に示されている移送ヘッド２２の実施形態の場合、これは隔壁２９を備えるが、後で説明するように、隔壁なしで設計されてもよい。
【００２４】
図２は、たとえば上記で説明したものなどの移送ヘッド２２を備えるライナ２１を保持することができる、送達デバイスＫを備える、試料の準備および、ガスクロマトグラフＧのための送達のための構成を示している。また、そうするのが適切である場合密封された方式で移送ヘッド２２を備えるライナ２１を保持するための所定のパターンの複数のめくら孔３１を有するマガジンＭ１がある。試料容器Ｐ（バイアル）のための保持フレームＭ２も設けられている。ライナ２１は、注射器を把持するためのデバイス（図示せず）、および移送ヘッド２２用のグリッパ３３、特に電磁的に駆動することができるグリッパを備える水平方向および鉛直方向に可動なアームを備えるオートサンプラＳとして知られている自動的な試料準備および／または送達デバイスを用いて操作することができる。ここで、グリッパ３３は、注射器を用いた試料の準備または送達がグリッパ３３を通して行われることができるようにして便宜設計されている。
【００２５】
したがって、オートサンプラＳは、所定の順序でマガジンＭ１から試料のないライナ２１を、その移送ヘッド２２を把持することによって、そのグリッパ３３とともに取り外し、ガスクロマトグラフＧの送達デバイスＫ内に挿入することができる。各挿入後、注射器を備えるオートサンプラＳは、所定のプログラムに基づいて、隔壁を備える付随する試料容器Ｐの上を移動し、注射器を用いて試料を採取し、送達デバイスＫ内に配置されたライナの送達ヘッド２２の上を注射器とともに移動し、注射針を隔壁２９を通ってライナ２１内へ移動させ、検査される試料を注射針を用いてライナ２１内に送達する。その後、試料送達が行われながら、注射針が再び引き出される。最後に、ライナ２１が、周縁溝３４でグリッパ３３によってその移送ヘッド２２上で把持され、送達デバイスＫから取り外され、マガジンＭ１などの中に再び配置される。ライナ２１は、一回またはｎ回使用することができ、したがってこの手順は、ライナ２１を使用するたびに、またｎ回使用するたびに行われる。
【００２６】
しかし、ライナ２１は、マガジン内にあるときに検査される試料をすでに装填されてもよい。ここで、ライナ２１がめくら孔内で外側から密封されるようにしてマガジンＭ１によって保持されることは好都合である。この場合、オートサンプラＳは、ライナ３１を次々に取り外して、送達デバイスＫ内に挿入し、試料送達後再び取り外して、マガジンＭ１へ戻すことができる。
【００２７】
また、オートサンプラＳがサンプルのないライナ２１をマガジンＭ１から取り外し、試料容器Ｐの対応する保持ヘッドＡ内に挿入して、そこでライナ２１が、送達デバイスＫ内に次々に挿入されるように、検査される試料を受けることが提供されてもよい。
必要に応じて、オートサンプラＳの代わりに、おそらく通常のオートサンプラＳとともに、ライナ２１のためだけの特別な交換デバイスが使用されてもよい。
ライナ２１は、図３に示すように、ショルダ４１を備える移送ヘッド２２も有し、その下で、ライナ２１（図４参照）の内部と接続している孔４２（またはいくつかの孔）が、移送ヘッド２２の外周で開いている。
【００２８】
ライナ２１は、送達デバイスＫの、および図示のように試料容器Ｐの対応する保持カップ６内に挿入され、保持カップ６は、移送ヘッド２２が挿入されたとき、環状の空間が孔４２の口に隣接して形成され、Ｏリング２６を用いて一方の環状の空間に対して密封されているさらなる環状の空間が、移送ヘッド２２の挿入された端部に隣接して形成され、これらの環状の空間が、必要に応じて試料容器Ｐおよびライナ２１を通ってガスを運ぶように、保持カップ６に取り付けられたガスライン４３、４４とそれぞれ接続されるように、段差付きの孔を有する。したがって、検査される物質は、受動的（ガス循環なし）にだけでなく、ライナ２１内の対応する段階で動的に、後の分析のために収集することができる。このようにしてライナ２１はサンプラとして機能する。
【００２９】
検査される物質を吸収または吸着するために、ライナ２１は、たとえばパッキング４５（図３参照）またはコレクタ４６を保持してもよく、コレクタ４６は、抜け落ちを止めるための拘束部４９を用いてライナ内で保持されている活性の皮膜４８（図４）を備えるほぼ棒状のキャリア４７を備える。しかし、ここで考慮される検査される物質を吸収および吸着するためのライナ２１を設計するさらなる可能性がある。
【００３０】
図４に示されている試料容器Ｐの実施形態の場合、キャップ５１を用いてそのフランジ５０上に上下に重ねて設けられた２つの隔壁５２が設けられることが提供されている。それらの隔壁の間に、薄いホイル５３、たとえばアルミニウムホイルが密封されるように締結されている。試料容器Ｐ上に嵌合することができる保持カップ６が、キャップ５１およびホイル５３を通して押し込まれることができる一方、少なくとも１つの隔壁５２と密封係合するチューブ５４の下側に担持されている。チューブ５４は、ライナ２１が、たとえば図４に示されているように、必要に応じて、動的ヘッドスペース抽出のために、必要に応じて試料容器Ｐ内に配置されている試料５５を入れるために、試料容器Ｐ内に導入されることを許す。
【００３１】
しかし、移送ヘッド２２を介してではなく、その蓋を介して試料容器Ｐへのガス供給を実現することも可能である。
しかし、移送ヘッド２２を備えるライナ２１を備えていない送達デバイスＫは一般に、移送ヘッド２２を備えるライナ２１の使用を許す送達デバイスＫ用のアタッチメント６０を嵌合する目的のために使用することができるねじ付き接続部片を有する。
【００３２】
図５に示されているこのようなアタッチメント６０の実施形態は、アタッチメント６０を送達デバイスＫ上に締結するための内部ねじ山を備える孔６１を下側に備える。移送ヘッド２２は、図３および４の移送ヘッドに本質的に対応しており、この図では、試料送達が注射器による場合に必要とされる隔壁２９およびねじ込み針ガイディング部片３０を追加で示しているが、一方、図３および４の実施形態の場合、試料は、試料容器Ｐ内で直接保持され、試料はライナ２１から直接送達される。ライナは同様に、アタッチメント６０とともに提供されてもよい。
アタッチメント６０は、保持カップ６のくぼみに対応する、孔６１と接続されたくぼみ６２を有する。キャリアガスが、ライン６３および孔６４ならびに移送ヘッド２２の周縁溝６５を介してライナ２１の内部に供給することができる。
【００３３】
アタッチメント６０内の移送ヘッド２２の固定締結はここでは、半径方向に変位可能な方式でアタッチメントの孔６８内に配置されたいくつかのボール６７を用いて行われる。各ボール６７は、ボール６７のほうへ傾斜された、移送ヘッドの軸方向に変位可能であるピストン６９を用いて移送ヘッド２２のショルダ２８の方向に変位可能である。ピストン６９は、アタッチメント６０内の孔７０によって密封された方式で保持され、アタッチメント６０のカバー７２上で支持されているばね７１によって図５に示すその開始位置に偏倚されている。圧縮空気が、ボール６７から離れたその側面上のライン７３を介してピストンに加えられることができ、それによってボール６７が、ショルダが圧縮空気がピストン６９に加えられている限り、くぼみ６２との係合状態を保持するように、移送ヘッド２２の傾斜ショルダ２８上の位置へ押し込まれる。
【００３４】
ボール６７が、ピストン６９の開始位置で孔６８内にゆるく配置されている（しかし抜け落ちないように固定されている）ため、移送ヘッド２２が挿入されるとき、挿入が妨害されないように、外向きに押圧することができる。
図６に示されている移送ヘッド２２の実施形態には隔壁がない。その代わりに、孔２３が、ばね７４を用いて密封リング７５に対して偏倚され、孔７６内で孔２３に対して斜めに変位可能であり、注射針によって片側へ押圧することができるボール７７によって閉鎖されている。注射針は、挿入されたとき、取入端部で密封係合され、密封リング８０がナット７９を備えるカバー７８によって締結される。ボール７７、およびそれに作用する部品を固定するために、移送ヘッド２２は、孔７６に対して垂直に傾斜表面に沿って互いに結合された２つの部品２２ａ、２２ｂを備える。
ピストン１０および６９をばねで偏倚させる代わりに、これらは、圧縮空気を用いて前後に運動されてもよい。
【図面の簡単な説明】
【００３５】
【図１】挿入されたライナを備えるガスクロマトグラフのための冷間送達デバイスの実施形態を通る断面図である。
【図２】ガスクロマトグラフのための試料準備および送達のための構成の実施形態の概略図である。
【図３】移送ヘッドのさらなる実施形態を備えるライナを示す図である。
【図４】試料容器とともに図３による移送ヘッドを備えるライナを示す図である。
【図５】送達デバイスのアタッチメントの実施形態を示す図である。
【図６】修正された移送ヘッドを備えるライナを示す図である。
【符号の説明】
【００３６】
１  ベースプレート
２  通し開口
３  ライナホルダ
４、８、１５  ねじ
５  キャリアプレート
６  保持カップ
７  スリーブ
９  ナット
１０  ピストン
１１  ばね
１２  スリット
１３  締結顎部
１４  ガイディングブロック
１６  周縁溝
１７  孔
１８  ガイディングチューブ
１９  接続部片
２０  加熱デバイス、針ガイド部片
２１  ライナ
２２  移送ヘッド
２２ａ、２２ｂ  部品
２３  段差付きの孔
２４、２７  Ｏリング
２５  ショルダ
２６、３４  周縁溝
２９  隔壁
３０  ガイディング部
３１  めくら孔
３３  グリッパ
４１  ショルダ
４３、４４  ガスライン
４５  パッキング
４６  コレクタ
４７  キャリア
４９  拘束部
５０  フランジ
５１  キャップ
５２  隔壁
５３  ホイル
５４  ガイディングチューブ
６０  アタッチメント
６１、６４、６８、７０、７６  孔
６２  くぼみ
６３、７３  ライン
６５  周縁溝
６７、７７  ボール
６９  ピストン
７１、７４  ばね
７２、７８  カバー
７５、８０  密封リング
７９  ナット
Ｇ  試料分析器、ガスクロマトグラフ
Ｋ  冷間送達デバイス
Ｍ１  マガジン
Ｍ２  保持フレーム
Ｐ  試料容器
Ｓ  オートサンプラ
【図１】
2005292142.tif 000003
【図２】
2005292142.tif 000004
【図３】
2005292142.tif 000005
【図４】
2005292142.tif 000006
【図５】
2005292142.tif 000007
【図６】
2005292142.tif 000008